(57)【特許請求の範囲】
【請求項１】
壁枠に付設された中桟に被せられるコの字状横断面を持ったチャンネル材において、コの字状に連なる３片中の中央片の外側に起立する係止片を設け、係止片を足場板の裏側にある空洞内へ挿入可能としたことを特徴とする、足場板係止具。
【請求項２】
係止片が、チャンネル材の中央片に切り込みを入れ、切り込みによって囲まれた部分を起立させることにより構成されていることを特徴とする、請求項１に記載の足場板係止具。
【請求項３】
係止片がチャンネル材の中央片上に横断面がＬ型又はΩ状の係止材を付設することにより構成されていることを特徴とする、請求項１に記載の足場板係止具。
【発明の詳細な説明】
【０００１】
【発明の属する技術分野】
この発明は、足場板係止具に関するものであり、とくに建物の内部に設ける足場用板の係止具に関するものである。
【０００２】
【従来の技術】
型鋼を使用して建物の骨組みを作る際には、まず基礎上に鉄骨柱を立設し、その間に直角四辺形の壁枠を立設するとともにその上に２階の床梁を設置し、さらにその上に２階の壁枠を設置して行く。このとき、作業者が地面又は基礎上に立っただけでは、２階の床梁にまで手が届かないので、中間の高さのところに足場を設ける必要があり、またさらにその上にも同様にして足場を設ける必要が起こる。この足場は建物の内側に設けられることとなる。
【０００３】
図１は、建物の内部に設けられる従来の代表的な足場の一例を示している。図１において、Ａは基礎であり、Ｂは鉄骨柱であり、ＣないしＥは壁枠である。このような軸組に足場を設けるには、壁枠Ｃの一側の中程の高さのところにブラケットＦを固定し、また壁枠ＤとＥとの間にもブラケットＧを固定して、これらブラケットの上に足場板を乗せることとしている。このように１つの壁面が水平方向に延びる途中には、ブラケットが付設され、そのブラケット上に足場板が乗せられ、足場板はブラケットによって支持される。
【０００４】
ところが、足場板の端では、このようなブラケットが用いられない。それは、壁枠ＣないしＥに見られるように、壁枠は通常中間の高さのところに中桟Ｈを備えているために、足場板の端は中桟Ｈの上に乗せるだけで足りたからである。しかし、中桟の幅は普通６０ｍｍ位であり、その外側には壁パネルが付設されているから、足場板の端は６０ｍｍ以下の長さにわたって支持されるに過ぎない。従って足場板は中桟から外れる可能性が大きく、危険であった。
【０００５】
【発明が解決しようとする課題】
この発明は、上述のような危険を解消しようとしてなされたものである。すなわち、この発明は足場板の端が壁枠の中桟に乗せられた状態で、中桟から外れて落ちないようにしようとするものであって、そのための係止具を提供しようとするものである。
【０００６】
【課題を解決するための手段】
この発明者は、足場板が裏側に空洞を持つものであることに着目した。すなわち、近頃は鋼板製の足場板が多く用いられるようになり、その長手方向の一端は裏側から見ると図２に示したような構造となっていて、そこには係止に適した空洞のあることに気付いた。図２に基づいて足場板Ｔの構造を説明すると、表側には、横断面が扁平なＣ型をなしている長尺の表板Ｐがあり、表板Ｐの開口内部には幅方向の中央位置に長手方向に沿って横断面が山形の補強板Ｑが付設され、表板Ｐと補強板Ｑとの両端には蓋状の端板Ｒが付設されて一体となり、足場板Ｔが構成されている。その結果、足場板の裏側には四方が縁で囲まれた空洞Ｓが形成されている。そこで、この発明者は、この空洞Ｓを足場板の係止に利用することを思い付いた。
【０００７】
この発明は、壁枠に付設された中桟に被せられるコの字状横断面を持ったチャンネル材において、コの字状に連なる３片中の中央片上に外側へ向けて起立する係止片を設け、係止片を足場板の裏側にある空洞内へ挿入可能としたことを特徴とする、足場板係止具を提供するものである。
【０００８】
この発明に係る足場板係止具をその実施の一例について図面に基づき説明すると次のとおりである。図３は、この発明に係る足場板係止具の斜視図である。図４は、図３に示した足場板係止具の使用状態を示した分解斜視図である。図５は、この発明に係る他の足場板係止具の斜視図である。図６は、この発明に係る別の足場板係止具の斜視図である。図７は、この発明に係るさらに別の足場板係止具の斜視図である。
【０００９】
図３において、この発明に係る足場板係止具は、横断面がコの字状のチャンネル材１と、このチャンネル材１においてコの字状に連なる３片のうちの中央片上に付設された横断面がＬ字状の係止材２とで構成されている。チャンネル材１は、図１に示された壁枠ＣないしＥの中桟Ｈに丁度隙間なく被せられるような大きさのものとされる。係止材２は、Ｌの折曲線２１をチャンネル材１の長手方向に沿って延ばし、Ｌの２片のうちの１片２２をチャンネル材１の中央片上に密接させて固定され、Ｌの他の１片を中央片上で起立させて係止片２３を形成している。こうして構成されたものがこの発明に係る足場板係止具Ｘである。
【００１０】
図３に示した足場板係止具Ｘは、図４に示したようにしてこれを使用する。すなわち、まず、足場板係止具Ｘのチャンネル材１を壁枠の中桟Ｈに被せる。すると、足場板係止具Ｘは中桟Ｈの長手方向には移動できるが、中桟Ｈの幅方向には移動できない状態となって、係止片２３をチャンネル材１上で直立させた状態となる。次いで、足場板係止具Ｘの上に足場板Ｔを置くと、係止片２３は足場板Ｔの裏側にある空洞Ｓの中へ入り足場板Ｔは係止具Ｘに密接する。足場板Ｔの端には端板Ｒが固定されているから、足場板Ｔが係止具Ｘから外れようとしても、係止片２３が端板Ｒに衝突して、足場板Ｔは係止具Ｘから外れなくなる。こうして足場板Ｔの脱落が防止できる。
【００１１】
図３及び図４ではチャンネル材１の上に係止片２３を設けるのに断面がＬ字状の係止材２を余分に付設したが、このようなことは必ずしも必要でない。図５に示したように、チャンネル材１の中央片の一部にコの字状の切り込みを入れて、この切り込みに囲まれた一部をチャンネル材１から起立させて係止片２３としてもよい。また、図６に示したようにチャンネル材１に大きな切り込みを入れて、その一部をチャンネル材から起立させて係止片２３としてもよい。
【００１２】
さらに図７に示したようにチャンネル材１の中央片上に横断面がΩ状の折曲片３又は４を固定しその一面２３を係止片とすることもできる。このように、この発明に係る足場板係止具は色々な態様を採ることができる。
【００１３】
【発明の効果】
この発明によれば、足場板係止具は、壁枠に付設された中桟に被せられるコの字状横断面を持ったチャンネル材を備えているので、このチャンネル材を中桟に被せることにより容易に中桟に取り付けることができる。また、この足場板係止具は、コの字状に連なるチャンネル材の３片のうち、中央片の外側に起立する係止片を備えているので、上述のようにチャンネル材を中桟に被せて壁枠に固定すると、係止片が中桟上で起立している状態となる。また、この係止片は足場板の裏側にある空洞内へ挿入可能とされているので、この足場板係止具上に足場板を乗せると、係止片は足場板の空洞内に嵌まる。すると、足場板の端には端板が付設されているので、係止片が端板に衝突して足場板の移動を阻止するので、足場板の端は係止具から外れることができなくなり、従って足場板の落下が防止される。このようにして、この発明は足場板の脱落を防ぎ、建物の構築を安全にするという効果をもたらすものである。
【図面の簡単な説明】
【図１】建物の内部に設ける従来の足場を示した斜視図である。
【図２】足場板裏面の一部切欠斜視図である。
【図３】この発明に係る足場板係止具の斜視図である。
【図４】図３に示した足場板係止具の使用方法を示した斜視図である。
【図５】この発明に係る他の足場板係止具の斜視図である。
【図６】この発明に係る別の足場板係止具の斜視図である。
【図７】この発明に係るさらに別の足場板係止具の斜視図である。
【符号の説明】
Ａ              基礎
Ｂ              鉄骨柱
Ｃ、Ｄ、Ｅ      壁枠
Ｆ、Ｇ          ブラケット
Ｈ              中桟
Ｔ              足場板
Ｐ              足場板Ｔの表板
Ｑ              足場板Ｔの補強板
Ｒ              足場板Ｔの端板
Ｓ              足場板Ｔの空洞
Ｘ              この発明に係る足場板係止具
１              チャンネル材
２              係止材
２１            係止材２の折曲線
２２            係止材２の１片
２３            係止片
３、４          折曲片
【図１】
0003628106.tif 000002
【図２】
0003628106.tif 000003
【図３】
0003628106.tif 000004
【図４】
0003628106.tif 000005
【図５】
0003628106.tif 000006
【図６】
0003628106.tif 000007
【図７】
0003628106.tif 000008